(57)【要約】【課題】印字内容に連続的な関連性のある複数の印字ラベルを作成するときにおいて、操作者の労力負担を低減することができる印字ラベル作成システムを提供する。【解決手段】情報を記憶するＩＣ回路部１５０と情報の送受信を行うタグアンテナ１５１とが設けられた無線タグ回路素子Ｔｏに対し、無線通信を介し情報送受信を行うためのアンテナ２０３を介して情報読み取りを行いＩＣ回路部１５０に記憶されたシリアル番号を取得すると共に、その無線タグ回路素子Ｔｏに対し情報読み取りが行われるたびに、１ずつ繰り上げたシリアル番号に対応する印字データを順次生成し、その生成した印字データの印字を行って印字ラベルＬを作成する。【選択図】図２
2010067009.tif 000002
【特許請求の範囲】
【請求項１】
情報を記憶するＩＣ回路部と情報の送受信を行うタグアンテナとが設けられた無線タグ回路素子に対し、無線通信を介し情報送受信を行うための装置アンテナと、
前記装置アンテナを介して前記無線タグ回路素子に対し情報読み取りを行い、前記ＩＣ回路部に記憶された情報を取得する情報取得手段と、
前記情報取得手段で前記無線タグ回路素子に対し情報読み取りが行われるたびに、所定の規則性に沿って順次異なる印字用識別子を生成する識別子生成手段と、
ラベル媒体を搬送するための搬送手段と、
前記搬送手段で搬送される前記ラベル媒体か、若しくは、前記ラベル媒体に貼り合わされる被印字媒体に対し、前記識別子生成手段で生成した前記印字用識別子の印字を行い、印字ラベルを作成する印字手段と
を有することを特徴とする印字ラベル作成システム。
【請求項２】
請求項１記載の印字ラベル作成システムにおいて、
前記情報取得手段で１回の前記情報読み取りが行われたら、これに対応して１つの前記印字ラベルを作成するように、前記識別子生成手段、前記搬送手段、及び前記印字手段を連携して制御する連携制御手段を有する
ことを特徴とする印字ラベル作成システム。
【請求項３】
請求項１又は請求項２記載の印字ラベル作成システムにおいて、
前記識別子生成手段は、
前記情報取得手段で前記無線タグ回路素子に対し情報読み取りが行われるたびに、所定の偏差により順次繰り上がる若しくは順次繰り下がる数値情報を、前記印字用識別子として生成する
ことを特徴とする印字ラベル作成システム。
【請求項４】
請求項１乃至請求項３のいずれか１項記載の印字ラベル作成システムにおいて、
前記無線タグ回路素子の前記ＩＣ回路部は、
印字ラベルを作成するための作成用情報を記憶しており、
前記情報取得手段は、
前記装置アンテナを介し、前記ＩＣ回路部より前記作成用情報を取得し、
前記識別子生成手段は、
前記情報取得手段で前記作成用情報が取得されるたびに、前記規則性に沿って新たな印字用識別子を順次生成し、
前記印字手段は、
前記新たな印字用識別子に対応した印字を行い、前記印字ラベルを作成する
ことを特徴とする印字ラベル作成システム。
【請求項５】
請求項４記載の印字ラベル作成システムにおいて、
前記無線タグ回路素子の前記ＩＣ回路部は、前記印字用識別子に係わる前記所定の規則性と同等の規則性を設定可能な前記作成用情報を記憶している
ことを特徴とする印字ラベル作成システム。
【請求項６】
請求項５記載の印字ラベル作成システムにおいて、
前記識別子生成手段で生成される前記新たな印字用識別子に対応した新たな前記作成用情報を、前記装置アンテナを介し、前記無線タグ回路素子の前記ＩＣ回路部に書き込む情報書込手段を有する
ことを特徴とする印字ラベル作成システム。
【請求項７】
請求項４記載の印字ラベル作成システムにおいて、
最初に前記情報取得手段で前記作成用情報が取得されたとき、対応して最初に前記識別子生成手段で生成された前記印字用識別子を記憶する識別子記憶手段を有し、
前記識別子生成手段は、
前記識別子記憶手段へ最初に前記印字用識別子が記憶された後は、前記情報取得手段で前記作成用情報が取得されるたびに、前記識別子記憶手段に記憶された前記印字用識別子に基づいて新たな印字用識別子を順次生成する
ことを特徴とする印字ラベル作成システム。
【請求項８】
請求項４記載の印字ラベル作成システムにおいて、
前記識別子生成手段は、
前記情報取得手段で前記作成用情報が取得されるたびに、前記印字ラベルの作成開始時に用いるために予め設定記憶された前記印字用識別子の初期値に基づいて新たな印字用識別子を順次生成する
ことを特徴とする印字ラベル作成システム。
【請求項９】
請求項４乃至請求項８のいずれか１項記載の印字ラベル作成システムにおいて、
前記装置アンテナ、前記情報取得手段、及び、前記情報取得手段で取得した前記作成用情報を転送する情報転送手段を備えた読み取り装置と、
前記搬送手段、前記印字手段、及び、前記読み取り装置の前記情報転送手段から転送された前記作成用情報を入力する情報入力手段を備えたラベル作成装置と
から構成されることを特徴とする印字ラベル作成システム。
【請求項１０】
請求項９記載の印字ラベル作成システムにおいて、
前記識別子生成手段は前記ラベル作成装置に備えられており、前記情報入力手段で入力した作成用情報に基づき前記印字用識別子を順次生成する
ことを特徴とする印字ラベル作成システム。
【発明の詳細な説明】
【技術分野】
【０００１】
本発明は、ラベル媒体又は被印字媒体に対し印字を行うことにより印字ラベルを作成する印字ラベル作成システムに関する。
【背景技術】
【０００２】
従来、テープをロール状にカートリッジ内に収納し、ロールよりテープを繰り出しつつ所望の文字を印刷してラベルを作成するラベル作成システムが既に提唱されている（例えば、特許文献１参照）。
【０００３】
この従来技術においては、剥離紙を備えた基材テープを巻回したロールと、この基材テープに貼り合わされる被印字媒体（カバーフィルム）を巻回したロールとを備えている。これら２つのロールから上記基材テープ及び上記被印字媒体をそれぞれ繰り出しつつ被印字媒体に所定の印字を行い、印字後の被印字媒体と上記基材テープとを貼り合わせて印字済みラベル用テープとする。そして、この印字済みラベル用テープを切断手段で所定長さに切断して印字ラベルを作成する。
【０００４】
このとき、上記ラベル作成装置には、有線を用いたネットワーク（通信回線）を介し操作端末が接続されている。操作者は、この操作端末を用い、ラベル作成装置に対する印刷指示を行う。その操作者による印刷指示に対応した信号は、ネットワークを介してラベル作成装置に読み込まれ、この読み込まれた信号に基づき、上記印刷指示に沿った印字が行われる。
【特許文献１】特開２００５−２５４５６６号公報
【発明の開示】
【発明が解決しようとする課題】
【０００５】
上記のようにして、ラベル作成装置に対し装置外の操作端末を用いて印刷指示を行うとき、印刷指示の内容によっては操作端末での（キーやボタンやスイッチを用いた）操作が煩雑となる場合がある。例えば各ラベルに続き番号をそれぞれ印字する場合のように、印字内容に連続的な関連性のある複数の印字ラベルを作成する場合、操作端末を用いて各ラベルの印字内容を１つ１つマニュアル操作で設定を行うとすれば、操作者の労力負担は著しく増大する。このような場合に、操作端末に代わる別の簡便な手段によって同等の動作指示を行えるようにすれば操作者の操作労力を低減できて便利である。しかしながら、上記従来技術では、そのような操作者の労力負担の低減については特に配慮されていなかった。
【０００６】
本発明の目的は、印字内容に連続的な関連性のある複数の印字ラベルを作成するときにおいて、操作者の労力負担を低減することができる印字ラベル作成システムを提供することにある。
【課題を解決するための手段】
【０００７】
上記目的を達成するために、第１発明の印字ラベル作成システムは、情報を記憶するＩＣ回路部と情報の送受信を行うタグアンテナとが設けられた無線タグ回路素子に対し、無線通信を介し情報送受信を行うための装置アンテナと、前記装置アンテナを介して前記無線タグ回路素子に対し情報読み取りを行い、前記ＩＣ回路部に記憶された情報を取得する情報取得手段と、前記情報取得手段で前記無線タグ回路素子に対し情報読み取りが行われるたびに、所定の規則性に沿って順次異なる印字用識別子を生成する識別子生成手段と、ラベル媒体を搬送するための搬送手段と、前記搬送手段で搬送される前記ラベル媒体か、若しくは、前記ラベル媒体に貼り合わされる被印字媒体に対し、前記識別子生成手段で生成した前記印字用識別子の印字を行い、印字ラベルを作成する印字手段とを有することを特徴とする。
【０００８】
本願第１発明においては、操作者が、例えば無線タグ回路素子を備えた無線タグを装置アンテナにかざす等により、情報取得手段で無線タグ回路素子への情報読み取りを行わせると、識別子生成手段で印字用識別子が生成される。そして印字手段によってラベル媒体（又は被印字媒体）に対し印字用識別子が印字され、印字ラベルが作成される。
【０００９】
このとき、識別子生成手段は、上記情報取得手段による情報読み取りが行われるたびに、互いに異なる印字用識別子を所定の規則性に沿って順次生成するようになっている。これにより、上記のようにして操作者が情報読み取り操作を行うだけで、所定の規則性に沿う異なる印字を備えた印字ラベルが、自動的に順次作成されることとなる。したがって、このような印字内容に連続的な関連性のある複数の印字ラベルを作成するときにおいて、各ラベルの印字内容を１つ１つマニュアル操作で設定する煩わしさがなくなるので、操作者の労力負担を低減することができる。
【００１０】
第２発明の印字ラベル作成システムは、上記第１発明において、前記情報取得手段で１回の前記情報読み取りが行われたら、これに対応して１つの前記印字ラベルを作成するように、前記識別子生成手段、前記搬送手段、及び前記印字手段を連携して制御する連携制御手段を有することを特徴とする。
【００１１】
これにより、操作者が情報読み取り操作を１回行うごとに、確実に１枚の印字ラベルを自動的に作成することができる。このように操作者の１操作につき１枚の印字ラベル作成という１対１の対応関係とすることにより、印字内容に連続的な関連性のある複数の印字ラベルを予め一括して作成する場合と異なり、作成したいときに作成したい枚数だけ、リアルタイムで効率よくラベル作成を行うことができる。
【００１２】
第３発明の印字ラベル作成システムは、上記第１又は第２発明において、前記識別子生成手段は、前記情報取得手段で前記無線タグ回路素子に対し情報読み取りが行われるたびに、所定の偏差により順次繰り上がる若しくは順次繰り下がる数値情報を、前記印字用識別子として生成することを特徴とする。
【００１３】
これにより、１０，９，８，…や、３００，２００，１００…のように順次繰り下がる数値情報や、１，２，３…や、５０，５５，６０…のように順次繰り上がる数値情報を印刷した印字ラベルを、操作者による読み取り操作に応じて順次作成することができる。
【００１４】
第４発明の印字ラベル作成システムは、上記第１乃至第３発明のいずれかにおいて、前記無線タグ回路素子の前記ＩＣ回路部は、印字ラベルを作成するための作成用情報を記憶しており、前記情報取得手段は、前記装置アンテナを介し、前記ＩＣ回路部より前記作成用情報を取得し、前記識別子生成手段は、前記情報取得手段で前記作成用情報が取得されるたびに、前記規則性に沿って新たな印字用識別子を順次生成し、前記印字手段は、前記新たな印字用識別子に対応した印字を行い、前記印字ラベルを作成することを特徴とする。
【００１５】
これにより、操作者が無線タグ回路素子の読み取り操作を行ったときに、その読み取った内容（＝ＩＣ回路部の記憶内容）に対応した内容の印字を備えた印字ラベルを作成することができる。
【００１６】
第５発明の印字ラベル作成システムは、上記第４発明において、前記無線タグ回路素子の前記ＩＣ回路部は、前記印字用識別子に係わる前記所定の規則性と同等の規則性を設定可能な前記作成用情報を記憶していることを特徴とする。
【００１７】
これにより、無線タグ回路素子から読み取った内容に直結した、同等の規則性を備えた印字の印字ラベルを作成することができる。さらに、印字内容を、無線タグ回路素子の記憶内容によって適宜に種々変更することも可能となり、種々の無線タグ回路素子を用意して使い分けることで、簡単に複数種類の印字ラベルを作成することもできる。
【００１８】
第６発明の印字ラベル作成システムは、上記第５発明において、前記識別子生成手段で生成される前記新たな印字用識別子に対応した新たな前記作成用情報を、前記装置アンテナを介し、前記無線タグ回路素子の前記ＩＣ回路部に書き込む情報書込手段を有することを特徴とする。
【００１９】
本願第６発明においては、識別子生成手段で新たな印字用識別子が生成されるたびに、対応して新たな作成用情報を生成し、無線タグ回路素子のＩＣ回路部に書き込むようにする。このようにして、無線タグ回路素子の記憶内容を順次更新しておくことにより、印字内容に連続的な関連性のある複数の印字ラベルを確実に順次作成することができる。
【００２０】
第７発明の印字ラベル作成システムは、上記第４発明において、最初に前記情報取得手段で前記作成用情報が取得されたとき、対応して最初に前記識別子生成手段で生成された前記印字用識別子を記憶する識別子記憶手段を有し、前記識別子生成手段は、前記識別子記憶手段へ最初に前記印字用識別子が記憶された後は、前記情報取得手段で前記作成用情報が取得されるたびに、前記識別子記憶手段に記憶された前記印字用識別子に基づいて新たな印字用識別子を順次生成することを特徴とする。
【００２１】
これにより、印字内容に連続的な関連性のある複数の印字ラベルを順次作成する際にも、無線タグ回路素子のＩＣ回路部には、作成用情報を固定的に（内容不変に）記憶しておくだけで足りる。この結果、無線タグ回路素子の記憶容量を小さく抑制することが可能となる。また、無線タグ回路素子から異なる情報を繰り返し読み取ったり、無線タグ回路素子への情報書き込みや上書き更新を行う必要がなくなるので、印字ラベル作成時の信頼性を向上することができる。
【００２２】
第８発明の印字ラベル作成システムは、上記第４発明において、前記識別子生成手段は、前記情報取得手段で前記作成用情報が取得されるたびに、前記印字ラベルの作成開始時に用いるために予め設定記憶された前記印字用識別子の初期値に基づいて新たな印字用識別子を順次生成することを特徴とする。
【００２３】
これにより、無線タグ回路素子のＩＣ回路部に別途特別な情報を作成用情報として記憶させなくても、タグ識別情報等、通常既に無線タグ回路素子に格納されている一般的な情報を作成用情報として流用することで、印字内容に連続的な関連性のある複数の印字ラベルを順次作成することができる。これにより、無線タグ回路素子は既存の一般的なものをそのまま用いることができるので、システムの汎用性が高まり、利便性を向上することができる。
【００２４】
第９発明の印字ラベル作成システムは、上記第４乃至第８発明のいずれかにおいて、前記装置アンテナ、前記情報取得手段、及び、前記情報取得手段で取得した前記作成用情報を転送する情報転送手段を備えた読み取り装置と、前記搬送手段、前記印字手段、及び、前記読み取り装置の前記情報転送手段から転送された前記作成用情報を入力する情報入力手段を備えたラベル作成装置とから構成されることを特徴とする。
【００２５】
これにより、操作者が、例えば無線タグを読み取り装置において装置アンテナにかざす等により情報読み取りを行わせることで、識別子生成手段で印字用識別子が生成され、ラベル作成装置の印字手段によって印字用識別子が印字され、印字ラベルを作成することができる。またこのとき、読み取り装置で読み取った作成用情報をラベル作成装置へと直接転送させることにより、（読み取り装置やラベル作成装置に）パソコンやサーバ等を接続することなく、印字ラベルを作成することができる。
【００２６】
第１０発明の印字ラベル作成システムは、上記第９発明において、前記識別子生成手段は前記ラベル作成装置に備えられており、前記情報入力手段で入力した作成用情報に基づき前記印字用識別子を順次生成することを特徴とする。
【００２７】
これにより、読み取り装置で情報取得手段による情報読み取りが行われるたびに、ラベル作成装置において識別子生成手段で印字用識別子を順次生成し、所定の規則性に沿った印字を備えた印字ラベルを自動的に順次作成することができる。
【発明の効果】
【００２８】
本発明によれば、操作者の労力負担を低減することができる。
【発明を実施するための最良の形態】
【００２９】
以下、本発明の一実施の形態を図面を参照しつつ説明する。本実施形態は、本発明の印字ラベル作成システムを製品のシリアル番号をそれぞれ印字した複数の印字ラベルの作成に適用した場合の例である。
【００３０】
図１に、本実施形態の印字ラベル作成システムＬＳの全体構成を示す。
【００３１】
図１において、印字ラベル作成システムＬＳは、搬送されるラベルテープ３０３（ラベル媒体。後述の図２参照）に対し所望の印字を行い、印字ラベルＬを作成するラベル作成装置３００と、無線タグＴに設けられ、情報を記憶するＩＣ回路部１５０と情報の送受信を行うタグアンテナ１５１とを備えた無線タグ回路素子Ｔｏ（詳細は後述の図４参照）に対し、アンテナ２０３（装置アンテナ）を介して情報読み取り及び情報書き込みが可能なリーダライタ２００（読み取り装置）とを有している。
【００３２】
上記ラベル作成装置３００とリーダライタ２００は、接続手段２（例えばＵＳＢケーブル等。無線でもよい）を介して情報送受信可能に接続されており、リーダライタ２００のアンテナ２０３を介して読み取られた情報（タグＩＤ等）は、ラベル作成装置３００に接続手段２を介して送信されるようになっている。
【００３３】
図２に、印字ラベル作成システムＬＳの機能構成を示す。
【００３４】
図２において、リーダライタ２００は、上記無線タグＴが有する無線タグ回路素子Ｔｏに対し無線通信を介し情報送受信を行うための上記アンテナ２０３と、このアンテナ２０３を介して無線タグ回路素子Ｔｏに対し情報読み取りを行い、無線タグ回路素子ＴｏのＩＣ回路部１５０に記憶された情報を取得すると共に、アンテナ２０３を介して無線タグ回路素子Ｔｏに対し情報書き込みを行い、無線タグ回路素子ＴｏのＩＣ回路部１５０に情報を記憶させる高周波回路２０４と、ラベル作成装置３００との間で接続手段２を介し情報通信（シリアル通信等）を行うためのインターフェース２０５とを有している。
【００３５】
またラベル作成装置３００は、ラベルテープ３０３（ラベル媒体）を巻回したラベルテープロール３０４（本来は渦巻であるが簡略化して同心円で図示している）と、このラベルテープロール３０４から繰り出されたラベルテープ３０３の対応する印字領域Ｓ（後述の図９参照）に所定の印字を行う印字ヘッド３０５（印字手段）と、ラベルテープ３０３を搬送するための搬送ローラ３０８（搬送手段）と、印字が終了したラベルテープ３０３を所定の長さに切断して前述の印字ラベルＬとするカッタ３０７と、上記リーダライタ２００と接続手段２を介し情報通信を行うためのインターフェース３０９と、以上の印字ヘッド３０５、カッタ３０７、搬送ローラ３０８等の制御を行う制御回路３１１とを有している。
【００３６】
図３に、上記リーダライタ２００の高周波回路２０４の詳細構成を示す。なお、この図３では、リーダライタ２００の高周波回路２０４とラベル作成装置３００の制御回路３１１との間のインターフェース２０５，３０９及び接続手段２については図示省略している。
【００３７】
この図３において、高周波回路２０４は、上記アンテナ２０３を介し無線タグＴの無線タグ回路素子ＴｏのＩＣ回路部１５０の情報へアクセスするものであり、またラベル作成装置３００の制御回路３１１は無線タグＴの無線タグ回路素子ＴｏのＩＣ回路部１５０から読み出された信号を処理して情報を読み出すと共に無線タグ回路素子ＴｏのＩＣ回路部１５０へアクセスするための各種コマンドを生成するものである。
【００３８】
高周波回路２０４は、アンテナ２０３を介し無線タグＴの無線タグ回路素子Ｔｏに対して信号を送信する送信部１４２と、リーダアンテナ２０３により受信された無線タグ回路素子Ｔｏからの応答波を入力する受信部１４３と、送受分離器１４４とから構成される。
【００３９】
送信部１４２は、無線タグ回路素子ＴｏのＩＣ回路部１５０の無線タグ情報にアクセスするための質問波を生成するブロックである。すなわち、送信部１４２は、周波数の基準信号を出力する水晶振動子１４５Ａと、ラベル作成装置３００の制御回路３１１の制御により水晶振動子１４５Ａの出力を分周／逓倍して所定周波数の搬送波を発生させるＰＬＬ（Ｐｈａｓｅ  Ｌｏｃｋｅｄ  Ｌｏｏｐ）１４５Ｂ及びＶＣＯ（Ｖｏｌｔａｇｅ  Ｃｏｎｔｒｏｌｌｅｄ  Ｏｓｃｉｌｌａｔｏｒ）１４５Ｃと、上記制御回路３１１から供給される信号に基づいて上記発生させられた搬送波を変調（この例では制御回路３１１からの「ＴＸ＿ＡＳＫ」信号に基づく振幅変調）する送信乗算回路１４６（振幅変調の場合は増幅率可変アンプ等を用いてもよい）と、その送信乗算回路１４６により変調された変調波を増幅（この例では制御回路３１１からの「ＴＸ＿ＰＷＲ」信号によって増幅率を決定される増幅）して所望の質問波を生成する可変送信アンプ１４７とを備えている。そして、上記発生される搬送波は、例えばＵＨＦ帯（又はマイクロ波帯、あるいは短波帯でもよい）の周波数を用いており、上記可変送信アンプ１４７の出力は、送受分離器１４４を介しアンテナ２０３に伝達されて無線タグ回路素子ＴｏのＩＣ回路部１５０に供給される。なお、質問波は上記のように変調した信号（変調波）に限られず、単なる搬送波のみの場合もある。
【００４０】
受信部１４３は、アンテナ２０３で受信された無線タグ回路素子Ｔｏからの応答波と上記搬送波とを乗算して復調するＩ相受信乗算回路１４８と、そのＩ相受信乗算回路１４８の出力から必要な帯域の信号のみを取り出すためのＩ相バンドパスフィルタ１４９と、このＩ相バンドパスフィルタ１４９の出力を増幅するＩ相受信アンプ１６２と、このＩ相受信アンプ１６２の出力をさらに増幅してデジタル信号に変換するＩ相リミッタ１６３と、上記アンテナ２０３で受信された無線タグ回路素子Ｔｏからの応答波と上記搬送波が移相器１６７により位相を９０°遅らせた信号とを乗算するＱ相受信乗算回路１７２と、そのＱ相受信乗算回路１７２の出力から必要な帯域の信号のみを取り出すためのＱ相バンドパスフィルタ１７３と、このＱ相バンドパスフィルタ１７３の出力を増幅するＱ相受信アンプ１７５と、このＱ相受信アンプ１７５の出力をさらに増幅してデジタル信号に変換するＱ相リミッタ１７６とを備えている。そして、上記Ｉ相リミッタ１６３から出力される信号「ＲＸＳ−Ｉ」及びＱ相リミッタ１７６から出力される信号「ＲＸＳ−Ｑ」は、上記制御回路１３３に入力されて処理される。
【００４１】
また、Ｉ相受信アンプ１６２及びＱ相受信アンプ１７５の出力は、強度検出手段としてのＲＳＳＩ（Ｒｅｃｅｉｖｅｄ  Ｓｉｇｎａｌ  Ｓｔｒｅｎｇｔｈ  Ｉｎｄｉｃａｔｏｒ)回路１７８にも入力され、それらの信号の強度を示す信号「ＲＳＳＩ」が制御回路３１１に入力される。これにより、ラベル作成装置３００では、無線タグ回路素子Ｔｏとの通信時における当該無線タグ回路素子Ｔｏからの信号の受信強度を検出することが可能となっている。
【００４２】
図４に、上記無線タグＴに備えられる無線タグ回路素子Ｔｏの機能的構成の一例を示す。
【００４３】
この図４において、無線タグ回路素子Ｔｏは、上述したようにリーダライタ２００のアンテナ２０３と非接触で信号の送受信を行う上記タグアンテナ１５１と、このタグアンテナ１５１に接続された上記ＩＣ回路部１５０とを有している。
【００４４】
ＩＣ回路部１５０は、タグアンテナ１５１により受信された質問波を整流する整流部１５２と、この整流部１５２により整流された質問波のエネルギを蓄積し駆動電源とするための電源部１５３と、上記タグアンテナ１５１により受信された質問波からクロック信号を抽出して制御部１５７に供給するクロック抽出部１５４と、所定の情報信号を記憶し得るメモリ部１５５と、上記タグアンテナ１５１に接続された変復調部１５６と、上記メモリ部１５５、クロック抽出部１５４、及び変復調部１５６等を介し上記無線タグ回路素子Ｔｏの作動を制御するための上記制御部１５７とを備えている。
【００４５】
変復調部１５６は、タグアンテナ１５１により受信された上記リーダライタ２００のアンテナ２０３からの質問波の復調を行い、また、上記制御部１５７からの返信信号を変調し、タグアンテナ１５１より応答波（タグＩＤを含む信号）として送信する。
【００４６】
クロック抽出部１５４は受信した信号からクロック成分を抽出し、当該クロック成分の周波数に対応したクロックを制御部１５７に供給する。
【００４７】
制御部１５７は、上記変復調部１５６により復調された受信信号を解釈し、上記メモリ部１５５において記憶された情報信号に基づいて返信信号を生成し、この返信信号を上記変復調部１５６により上記タグアンテナ１５１から返信する制御等の基本的な制御を実行する。
【００４８】
図５に、上記無線タグ回路素子ＴｏのＩＣ回路部１５０のメモリ部１５５の記憶内容の一例を概念的に示す。
【００４９】
図５において、メモリ部１５５には、タグ識別情報としてのタグＩＤと、ラベル作成装置３００に対しラベルテープ３０３に所望の印字を行って印字ラベルＬを作成するように指示するためのコマンドと、ラベルテープ３０３に印字されるシリアル番号とが記憶されている。このシリアル番号は各製品に対応した数値情報であり、リーダライタ２００で無線タグ回路素子Ｔｏに対し情報読み取りが行われるたびに、所定の規則性に沿って順次異なる番号となるように(本実施形態ではシリアル番号が１ずつ順次繰り上がるように)新規シリアル番号が生成され、メモリ部１５５に上書きして記憶されるものである（詳細は後述）。なお、上記シリアル番号が、特許請求の範囲各項記載の印字ラベルを作成するための作成用情報を構成する。
【００５０】
図６に、印字ラベルＬの作成時にラベル作成装置３００の制御回路３１１によって実行される制御内容を示す。
【００５１】
ステップＳ３１０では、制御回路３１１は、インターフェース３０９、接続手段２、及びインターフェース２０５を介してリーダライタ２００の高周波回路２０４に制御信号を送信し、アンテナ２０３を介し無線タグＴの無線タグ回路素子ＴｏのＩＣ回路部１５０に記憶された情報を読み取るためのタグ読み取り信号を生成して通信範囲内に存在する無線タグ回路素子Ｔｏに送信し、返信を促す。
【００５２】
ステップＳ３２０では、制御回路３１１は、上記タグ読み取り信号に対応し無線タグＴの無線タグ回路素子Ｔｏから送信（返信）されたリプライ信号をアンテナ２０３、高周波回路２０４、インターフェース２０５、接続手段２、及びインターフェース３０９を介し受信したか否かを判定する。無線タグＴからリプライ信号が受信されていなければ判定が満たされずにステップＳ３１０に戻り、再びタグ読み取り信号の送信を繰り返す。一方、無線タグＴからリプライ信号を受信した場合には、判定が満たされて次のステップＳ３３０に移る。
【００５３】
ステップＳ３３０では、制御回路３１１は、上記受信したリプライ信号に基づき、無線タグ回路素子ＴｏのＩＣ回路部１５０のメモリ部１５５に記憶されたタグＩＤ、コマンド、及びシリアル番号を取得する。
【００５４】
ステップＳ３３５では、制御回路３１１は、上記取得したシリアル番号に基づき、ラベルテープ３０３に対する印字内容を表す印字データを生成する。本実施形態では、ラベルテープ３０３に対し無線タグＴから読み取ったシリアル番号を印字するため、本ステップで生成する印字データ（印字用識別子）は、無線タグＴから取得した、無線タグ回路素子ＴｏのＩＣ回路部１５０のメモリ部１５５に記憶されたシリアル番号（作成用情報）と実質的に同等となっている。
【００５５】
ステップＳ４００では、制御回路３１１は、上記ステップＳ３３０で取得したコマンドに基づき、ラベルテープ３０３に対し上記生成した印字データの印字を行って印字ラベルＬを作成するラベル作成処理を実行する（詳細内容は後述の図８参照）。
【００５６】
ステップＳ３４０では、制御回路３１１は、上記取得したシリアル番号に１を加算して、新規シリアル番号を生成する。
【００５７】
ステップＳ３５０では、制御回路３１１は、インターフェース３０９、接続手段２、及びインターフェース２０５を介してリーダライタ２００の高周波回路２０４に制御信号を送信し、アンテナ２０３を介し無線タグＴの無線タグ回路素子ＴｏのＩＣ回路部１５０のメモリ部１５５に上記生成した新規シリアル番号を書き込むためのタグ書き込み信号を生成し、タグＩＤを指定して書き込み対象の無線タグ回路素子Ｔｏに送信する。
【００５８】
ステップＳ３６０では、制御回路３１１は、上記新規シリアル番号の無線タグ回路素子Ｔｏへの書き込みが正常に完了したか否かを判定する。具体的には、インターフェース３０９、接続手段２、及びインターフェース２０５を介してリーダライタ２００の高周波回路２０４に制御信号を送信し、通信結果の可否確認のための確認信号を生成してアンテナ２０３を介して情報書き込み対象の無線タグ回路素子Ｔｏに送信し、これに対応して無線タグ回路素子Ｔｏから送信（返信）されたリプライ信号に基づき、当該無線タグ回路素子Ｔｏのメモリ部１５５内に記憶された情報を確認し、前述の送信した新規シリアル番号と一致するか否かを判定する。書き込みが正常に完了していない場合には、判定が満たされずにステップＳ３５０に戻り、同様の手順を繰り返す。一方、書き込みが正常に完了している場合には、判定が満たされて本フローを終了する。
【００５９】
以上の制御により、ラベル作成装置３００では、リーダライタ２００で無線タグＴから１回の情報読み取りが行われたら、これに対応して１つの印字ラベルＬが作成されるようになっている。
【００６０】
なお、上記において、ステップＳ３１０、ステップＳ３２０、及びステップＳ３３０は、特許請求の範囲各項記載の装置アンテナを介して無線タグ回路素子に対し情報読み取りを行い、ＩＣ回路部に記憶された情報を取得する情報取得手段を構成する。またステップＳ３３５は、情報取得手段で無線タグ回路素子に対し情報読み取りが行われるたびに、所定の規則性に沿って順次異なる印字用識別子を生成する識別子生成手段を構成し、このステップＳ３３５とステップＳ４００とが、識別子生成手段、搬送手段、及び印字手段を連携して制御する連携制御手段を構成する。
【００６１】
また、ステップＳ３５０及びステップＳ３６０が、識別子生成手段で生成される新たな印字用識別子に対応した新たな作成用情報を、装置アンテナを介し、無線タグ回路素子のＩＣ回路部に書き込む情報書込手段を構成する。
【００６２】
図７に、無線タグ回路素子ＴｏのＩＣ回路部１５０のメモリ部１５５の記憶内容（但しタグＩＤを除く）の一例を示す。図７（ａ）はシリアル番号「１２３４５６７」の印字ラベル作成時の記憶内容を、図７（ｂ）はその印字ラベル作成後の更新された記憶内容を表している。なお、この図７ではＡＳＣＩＩ（Ａｍｅｒｉｃａｎ  Ｓｔａｎｄａｒｄ  Ｃｏｄｅ  ｆｏｒ  Ｉｎｆｏｒｍａｔｉｏｎ  Ｉｎｔｅｒｃｈａｎｇｅ）表現及び１６進数表現の２通りのデータを表示しているが、メモリ部１５５には少なくともいずれか一方が記憶されていればよい。
【００６３】
これら図７（ａ）及び図７（ｂ）に示すように、無線タグ回路素子ＴｏのＩＣ回路部１５０のメモリ部１５５には、コマンド及びシリアル番号が記憶されている。この例では、上記コマンドとしてＥＳＣ／Ｐ（Ｅｐｓｏｎ  Ｓｔａｎｄａｒｄ  Ｃｏｄｅ  ｆｏｒ  Ｐｒｉｎｔｅｒ）コマンドを用いている。
【００６４】
シリアル番号「１２３４５６７」が印字された印字ラベル作成時には、メモリ部１５５には、図７（ａ）に示すようにシリアル番号「１２３４５６７」が記憶されており、当該シリアル番号が読み出され対応する印字データが生成されることにより、ラベル作成装置３００でシリアル番号「１２３４５６７」が印字された印字ラベルＬが作成される（後述の図９（ａ）参照）。印字ラベル作成後には、図７（ｂ）に示すように１が加算された新規シリアル番号「１２３４５６８」が生成され、当該新規シリアル番号がメモリ部１５５に書き込まれる。これにより、次回ラベル作成時には、シリアル番号「１２３４５６８」が読み出され、ラベル作成装置３００でシリアル番号「１２３４５６８」が印字された印字ラベルＬが作成される（後述の図９（ｂ）参照）。
【００６５】
図８に、上記ステップＳ４００のラベル作成処理の詳細内容を示す。
【００６６】
ステップＳ４１０では、制御回路３１１は、搬送ローラ３０８に制御信号を出力し、カートリッジ用モータ（図示せず）の駆動力によってラベルテープロール３０４からラベルテープ３０３を繰り出す。
【００６７】
ステップＳ４２０では、制御回路３１１は、ラベルテープ３０３が所定量だけ搬送されたか否かを判定する。この所定量とは、例えば印字ヘッド３０５がラベルテープ３０３の印字領域Ｓの先端にほぼ対向する位置に到達するだけの搬送距離である。この搬送距離判定は、例えばラベルテープ３０３に設けたマーキングを公知のテープセンサ(不図示)で検出することにより行えば足りる。判定が満たされたらステップＳ４３０に移る。
【００６８】
ステップＳ４３０では、制御回路３１１は、印字ヘッド３０５に制御信号を出力し、印字ヘッド３０５によるラベルテープ３０３の印字領域Ｓへの上記ステップＳ３３５で生成した印字データの印字を開始する。
【００６９】
ステップＳ４４０では、制御回路３１１は、ラベルテープ３０３に対する印字データの印字がすべて完了しているかどうかを確認した後、ステップＳ４５０へ移る。
【００７０】
ステップＳ４５０では、制御回路３１１は、ラベルテープ３０３がさらに所定量（例えば、印字領域Ｓのすべてがカッタ３０７を所定の長さ(余白量)分越えるだけの搬送距離）だけ搬送されたかどうかを判定する。このときの搬送距離判定も例えば上記ステップＳ４２０と同様にすれば足りる。判定が満たされると、ステップＳ４６０に移る。
【００７１】
ステップＳ４６０では、制御回路３１１は、上記搬送ローラ３０８に制御信号を出力して上記カートリッジ用モータの駆動を停止し、ラベルテープロール３０４からのラベルテープ３０３の繰り出し及び搬送を停止する。
【００７２】
ステップＳ４７０では、制御回路３１１は、ソレノイド駆動回路（図示せず）に制御信号を出力してカッター用ソレノイド（図示せず）を駆動し、カッタ３０７によってラベルテープ３０３の切断を行う。前述したように、この時点で印字領域Ｓを含むラベルテープ３０３のすべてがカッタ３０７を十分に越えており、このカッタ３０７の切断によって、印字データの印字が行われた印字ラベルＬが生成される。
【００７３】
ステップＳ４８０では、制御回路３１１は、別途設けた排出用ローラ（図示せず）を駆動制御し、上記ステップＳ４７０でラベル状に生成された印字ラベルＬをラベル作成装置３００の装置外へと排出する。以上により、本フローを終了する。
【００７４】
図９に、上記制御によって作成される印字ラベルＬの一例を示す。この例では、印字ラベルＬの印字領域Ｓに、製品名及びシリアル番号が印字されている。
【００７５】
無線タグ回路素子ＴｏのＩＣ回路部１５０のメモリ部１５５にシリアル番号「１２３４５６７」が記憶された無線タグＴをリーダライタ２００に読み取らせると、図９（ａ）に示すように、ラベル作成装置３００でシリアル番号「１２３４５６７」が印字された印字ラベルＬが作成される。そして、前述したように印字ラベル作成後には、１が加算された新規シリアル番号「１２３４５６８」が生成され、メモリ部１５５に書き込まれる。これにより、次回ラベル作成時には、シリアル番号「１２３４５６８」が読み出され、図９（ｂ）に示すように、ラベル作成装置３００でシリアル番号「１２３４５６８」が印字された印字ラベルＬが作成される。このようにして、操作者が無線タグＴの情報読み取り操作を連続して行うことにより、シリアル番号が１ずつ順次繰り上がった印字ラベルＬが自動的に順次作成されるようになっている。
【００７６】
以上説明した実施形態においては、操作者が、無線タグ回路素子Ｔｏを備えた無線タグＴをリーダライタ２００のアンテナ２０３にかざす等により無線タグ回路素子Ｔｏへの情報読み取りを行わせると、ラベル作成装置３００において取得されたシリアル番号に対応した印字データが生成される。そして、印字ヘッド３０５によってラベルテープ３０３に対し印字データが印字され、印字ラベルＬが作成される。
【００７７】
このとき、ラベル作成装置３００の制御回路３１１によって実行されるステップＳ３３５では、リーダライタ２００による情報読み取りが行われるたびに、（１ずつ繰り上げた新規シリアル番号が無線タグ回路素子Ｔｏに書き込まれていることから）１ずつ繰り上げたシリアル番号に対応した互いに異なる印字データを順次生成するようになっている。これにより、上記のようにして操作者が情報読み取り操作を行うだけで、１ずつ繰り上げたシリアル番号が印字された印字ラベルＬが、自動的に順次作成されることとなる。したがって、このような印字内容に連続的な関連性のある複数の印字ラベルＬを作成するときにおいて、各ラベルの印字内容を１つ１つマニュアル操作で設定する煩わしさがなくなるので、操作者の労力負担を低減することができる。
【００７８】
また、本実施形態では特に、操作者がリーダライタ２００で無線タグＴの情報読み取り操作を１回行うごとに、確実に１枚の印字ラベルＬを自動的に作成することができる。このように操作者の１操作につき１枚の印字ラベル作成という１対１の対応関係とすることにより、印字内容に連続的な関連性のある複数の印字ラベルＬを予め一括して作成する場合と異なり、作成したいときに作成したい枚数だけ、リアルタイムで効率よくラベル作成を行うことができる。
【００７９】
また、本実施形態では特に、ステップ３３５で生成する印字データ（印字用識別子）と、無線タグ回路素子ＴｏのＩＣ回路部１５０のメモリ部１５５に記憶されたシリアル番号（作成用情報）とが実質的に同等であるため、メモリ部１５５に記憶されたシリアル番号によって、ステップＳ３３５において生成される印字データに係わる所定の規則性(すなわち１ずつ繰り上がる)と同等の規則性が設定される。これにより、無線タグ回路素子Ｔｏから読み取った内容に直結した、同等の規則性を備えた印字の印字ラベルＬを作成することができる。さらに、印字内容を、無線タグ回路素子Ｔｏの記憶内容によって適宜に種々変更することも可能となり、種々の無線タグ回路素子Ｔｏを用意して使い分けることで、簡単に複数種類の印字ラベルＬを作成することもできる。
【００８０】
なお、本発明は、上記実施形態に限られるものではなく、その趣旨及び技術的思想を逸脱しない範囲内で種々の変形が可能である。以下、そのような変形例を順を追って説明する。
【００８１】
（１）タグより読み出したシリアル番号に１を加算して印字する場合
【００８２】
上記実施形態では、無線タグ回路素子Ｔｏより読み出したシリアル番号に対応する印字ラベルＬの作成を行い、その後読み出したシリアル番号に１を加算した新規シリアル番号を無線タグ回路素子Ｔｏに書き込むようにしたが、これに限られない。例えば、無線タグ回路素子Ｔｏより読み出したシリアル番号に１を加算して新規シリアル番号を生成した後に対応する印字ラベルＬの作成を行い、その後当該新規シリアル番号を無線タグ回路素子Ｔｏに書き込むようにしてもよい。
【００８３】
図１０に、本変形例における印字ラベルＬの作成時にラベル作成装置３００の制御回路３１１によって実行される制御内容を示す。なお、前述の図６と同様の手順には同符号を付し説明を省略する。
【００８４】
ステップＳ３１０〜ステップＳ３３０は前述の図６と同様である。ステップＳ３３３では、制御回路３１１は、上記ステップＳ３３０で無線タグ回路素子Ｔｏから取得したシリアル番号に１を加算して、新規シリアル番号を生成する。
【００８５】
その後のステップＳ３３５、ステップＳ４００、ステップＳ３５０、及びステップＳ３６０は前述の図６と同様である。すなわち、制御回路３１１は、上記生成した新規シリアル番号に基づき、ラベルテープ３０３に対する印字内容を表す印字データを生成し、ラベルテープ３０３に対し当該生成した印字データの印字を行って印字ラベルＬを作成するラベル作成処理を実行する。そして、制御回路３１１は、上記ステップＳ３３３で生成した新規シリアル番号を書き込むためのタグ書き込み信号を生成し、タグＩＤを指定して書き込み対象の無線タグ回路素子Ｔｏに送信し、無線タグ回路素子Ｔｏへの書き込みが正常に完了した場合には、判定が満たされて本フローを終了する。
【００８６】
（２）無線タグ情報を更新しない場合（タグにシリアル番号初期値を記憶）
【００８７】
上記実施形態では、無線タグ回路素子Ｔｏよりシリアル番号を読み出し印字ラベルＬの作成を行う度に、読み出したシリアル番号に１を加算した新規シリアル番号を無線タグ回路素子Ｔｏに書き込み無線タグ情報を更新するようにしたが、これに限られない。例えば、無線タグ回路素子Ｔｏにシリアル番号の初期値を記憶させておき、最初の情報読み取り時に当該シリアル番号の初期値に対応する印字データをラベル作成装置３００側で保存し、その後は無線タグ回路素子Ｔｏから情報読み取りを行う度にラベル作成装置３００側で保存した印字データに対応するシリアル番号に１を加算して新規シリアル番号を生成し、この生成した新規シリアル番号に対応する印字データに更新するようにしてもよい。
【００８８】
図１１に、本変形例の印字ラベル作成システムＬＳの機能構成を示す。なお、前述の図２と同様の部分には同符号を付し説明を省略する。
【００８９】
本変形例のラベル作成装置３００Ａは、最初にリーダライタ２００でアンテナ２０３を介して無線タグ回路素子Ｔｏから読み取られた無線タグ情報（ここでは作成用情報としてのタグＩＤ、シリアル番号の初期値）が取得されたとき、対応して最初に生成された印字データを記憶する記憶部３１０（識別子記憶手段。例えばＥＥＰＲＯＭ等の不揮発性メモリ）を有している。この記憶部３１０には、タグＩＤと上記生成された印字データとが関連付けられて記憶されるようになっており、最初に印字データが記憶された後は、リーダライタ２００で無線タグ情報が取得されるたびに、記憶部３１０に記憶された印字データに基づき、対応するシリアル番号が１ずつ繰り上げられて新たな印字データが順次生成され、記憶部３１０の内容が更新されるようになっている。その他の印字ラベル作成システムＬＳの構成は、前述の図２と同様である。
【００９０】
図１２に、本変形例における印字ラベルＬの作成時にラベル作成装置３００Ａの制御回路３１１によって実行される制御内容を示す。
【００９１】
ステップＳ５０５〜ステップＳ５１５は前述の図６のステップＳ３１０〜ステップＳ３３０と同様であり、制御回路３１１は、リーダライタ２００の高周波回路２０４を制御し、無線タグＴの無線タグ回路素子ＴｏのＩＣ回路部１５０に記憶された情報を読み取るためのタグ読み取り信号を生成して通信範囲内に存在する無線タグ回路素子Ｔｏに送信する。これに対応し無線タグ回路素子Ｔｏから送信（返信）されたリプライ信号を受信すると、当該リプライ信号に基づき、無線タグ回路素子ＴｏのＩＣ回路部１５０のメモリ部１５５に記憶されたタグＩＤ、コマンド、及びシリアル番号の初期値を取得する。
【００９２】
ステップＳ５２０では、制御回路３１１は、上記無線タグＴからの情報読み取りが最初の読み取りが否かを判定する。この判定は、制御回路３１１が、上記ステップＳ５１５で取得したタグＩＤ及びこれに対応する印字データが記憶部３１０に記憶されているか否かを判定することにより行われる。タグＩＤ及びこれに対応する印字データが記憶部３１０に記憶されていない場合には、最初の情報読み取りであるとみなし、判定が満たされてステップＳ５２５に移る。
【００９３】
ステップＳ５２５では、制御回路３１１は、図６のステップＳ３３５と同様に、上記ステップＳ５１５で取得したシリアル番号の初期値に基づき、対応する印字データを生成する。ここでは、上述した実施形態と同様に、ラベルテープ３０３に対し無線タグＴから読み取ったシリアル番号の初期値を印字するため、本ステップで生成する印字データ（印字用識別子）は、無線タグＴから取得した、無線タグ回路素子ＴｏのＩＣ回路部１５０のメモリ部１５５に記憶されたシリアル番号の初期値（作成用情報）と実質的に同等となっている。
【００９４】
ステップＳ４００では、制御回路３１１は、上記ステップＳ５１５で取得したコマンドに基づき、ラベルテープ３０３に対し上記生成した印字データの印字を行って印字ラベルＬを作成するラベル作成処理を実行する（前述の図８参照）。
【００９５】
ステップＳ５３０では、制御回路３１１は、タグＩＤと上記ステップＳ５２５で生成した印字データとを関連付けて記憶部３１０に記憶させる。そして、本フローを終了する。
【００９６】
一方、上記ステップＳ５２０において、タグＩＤ及びこれに対応する印字データが記憶部３１０に記憶されている場合には、最初の情報読み取りでないとみなし、判定が満たされずにステップＳ５３５に移る。
【００９７】
ステップＳ５３５では、制御回路３１１は、上記ステップＳ５１５で取得したタグＩＤに対応する印字データを記憶部３１０から読み出す。
【００９８】
ステップＳ５４０では、前述の図６のステップＳ３４０と同様に、制御回路３１１は、上記読み出した印字データに対応するシリアル番号に１を加算して、新規シリアル番号を生成する。
【００９９】
ステップＳ５４５では、図６のステップＳ３３５と同様に、上記生成した新規シリアル番号に基づき、対応する印字データを生成する。本ステップでは、上記ステップＳ５４０で生成した新規シリアル番号に対応する印字データを生成するため、上述した実施形態とは異なり、本ステップで生成する印字データ（印字用識別子）は、無線タグＴから取得した、無線タグ回路素子ＴｏのＩＣ回路部１５０のメモリ部１５５に記憶されたシリアル番号の初期値（作成用情報）とは異なっている。
【０１００】
ステップＳ４００では、制御回路３１１は、上記ステップＳ５１５で取得したコマンドに基づき、ラベルテープ３０３に対し上記生成した印字データの印字を行って印字ラベルＬを作成するラベル作成処理を実行する（前述の図８参照）。
【０１０１】
ステップＳ５５０では、制御回路３１１は、記憶部３１０にタグＩＤと関連付けられて記憶された印刷データを、上記ステップＳ５４５で生成した新規シリアル番号に対応した印刷データに更新する。そして、本フローを終了する。
【０１０２】
なお、上記において、ステップＳ５０５、ステップＳ５１０、及びステップＳ５１５は、特許請求の範囲各項記載の装置アンテナを介して無線タグ回路素子に対し情報読み取りを行い、ＩＣ回路部に記憶された情報を取得する情報取得手段を構成する。またステップＳ５２５及びステップＳ５４５は、情報取得手段で無線タグ回路素子に対し情報読み取りが行われるたびに、所定の規則性に沿って順次異なる印字用識別子を生成する識別子生成手段を構成し、これらステップＳ５２５又はステップＳ５４５とステップＳ４００とが、識別子生成手段、搬送手段、及び印字手段を連携して制御する連携制御手段を構成する。
【０１０３】
上記変形例によれば、印字内容に連続的な関連性のある複数の印字ラベルＬを順次作成する際にも、無線タグ回路素子ＴｏのＩＣ回路部１５０には、シリアル番号の初期値を固定的に（内容不変に）記憶しておくだけで足りる。この結果、無線タグ回路素子Ｔｏの記憶容量を小さく抑制することができる。また、無線タグ回路素子Ｔｏから異なる情報を繰り返し読み取ったり、無線タグ回路素子Ｔｏへの情報書き込みや上書き更新を行う必要がなくなるので、印字ラベル作成時の信頼性を向上することができる。
【０１０４】
なお、上記変形例では、最初の情報読み取り時には無線タグ回路素子Ｔｏから読み出したシリアル番号の初期値に対応する印字データを記憶部３１０に記憶し、その後情報読み取りを行う度に記憶部３１０より読み出した印字データに対応するシリアル番号に１を加算して新規シリアル番号を生成した後に対応する印字ラベルＬの作成を行うようにしたが、これに限られない。すなわち、例えば前述の実施形態と同様に、最初の情報読み取り時に無線タグ回路素子Ｔｏから読み出したシリアル番号の初期値に１を加算して新規シリアル番号を生成し、これに対応する印字データを記憶部３１０に記憶するようにし、その後情報読み取りを行う度に記憶部３１０より読み出した印字データに対応する印字ラベルＬの作成を行い、その後読み出した印字データに対応するシリアル番号に１を加算して新規シリアル番号を生成し、記憶部３１０の内容を生成した新規シリアル番号に対応する印字データに更新するようにしてもよい。後述する変形例（３）〜（６）についても同様である。
【０１０５】
また、上記では、記憶部３１０にタグＩＤと印字データとを関連付けて記憶させるようにしたが、これに限られず、タグＩＤとシリアル番号自体を関連付けて記憶させるようにしてもよい。
【０１０６】
（３）無線タグ情報を更新しない場合（タグにＩＤを記憶）
【０１０７】
上記変形例（２）では、無線タグ回路素子Ｔｏにシリアル番号の初期値を記憶させておき、最初の情報読み取り時に当該シリアル番号の初期値に対応する印字データをラベル作成装置３００側で保存するようにしたが、これに限られず、予めラベル作成装置３００側にシリアル番号の初期値に対応する印字データを記憶させておき、無線タグ回路素子ＴｏからタグＩＤの情報読み取りを行う度にラベル作成装置３００側で保存した印字データに対応するシリアル番号に１を加算して新規シリアル番号を生成し、当該生成した新規シリアル番号に対応した印字データに更新するようにしてもよい。
【０１０８】
本変形例におけるラベル作成システムＬＳの構成は、前述の図１１と同様であるので説明を省略する。
【０１０９】
図１３に、本変形例における印字ラベルＬの作成時にラベル作成装置３００Ａの制御回路３１１によって実行される制御内容を示す。なお、前述の図１２と同様の手順には同符号を付し説明を省略する。
【０１１０】
ステップＳ５０５及びステップＳ５１０は図１２と同様であり、制御回路３１１は、リーダライタ２００の高周波回路２０４を制御し、無線タグＴの無線タグ回路素子ＴｏのＩＣ回路部１５０に記憶された情報を読み取るためのタグ読み取り信号を生成して通信範囲内に存在する無線タグ回路素子Ｔｏに送信する。これに対応し無線タグ回路素子Ｔｏから送信（返信）されたリプライ信号を受信すると、ステップＳ５１５Ａに移る。
【０１１１】
ステップＳ５１５Ａでは、制御回路３１１は、上記受信したリプライ信号に基づき、無線タグ回路素子ＴｏのＩＣ回路部１５０のメモリ部１５５に記憶されたタグＩＤ及びコマンドを取得する。
【０１１２】
ステップＳ５２０は図１２と同様であり、制御回路３１１は、上記無線タグＴからの情報読み取りが最初の読み取りが否かを判定する。最初の情報読み取りである場合には、判定が満たされてステップＳ５２３に移る。
【０１１３】
ステップＳ５２３では、制御回路３１１は、上記ステップＳ５１５Ａで取得したタグＩＤに対応する印字データの初期値を記憶部３１０から読み出す。なお、本変形例では、ラベル作成装置３００Ａの記憶部３１０に、印字ラベルＬの作成開始時に用いるための印字データの初期値（シリアル番号の初期値に対応する印字データ。以下同様）が、各無線タグＴのタグＩＤと関連付けられて予め設定記憶されている。
【０１１４】
ステップＳ４００では、制御回路３１１は、上記ステップＳ５１５Ａで取得したコマンドに基づき、ラベルテープ３０３に対し上記読み出した印字データの印字を行って印字ラベルＬを作成するラベル作成処理を実行する（前述の図８参照）。
【０１１５】
一方、上記ステップＳ５２０において、タグＩＤ及びこれに対応する印字データが記憶部３１０に記憶されている場合には、最初の情報読み取りでない場合には、ステップＳ５３５に移る。このステップＳ５３５〜ステップＳ５５０は、前述の図１２と同様であるので説明を省略する。なお、本変形例のステップＳ５４５では、上記ステップＳ５４０で生成した新規シリアル番号に対応する印字データを生成するため、上述した変形例（２）と同様に、本ステップで生成する印字データ（印字用識別子）は、無線タグＴから取得した、無線タグ回路素子ＴｏのＩＣ回路部１５０のメモリ部１５５に記憶されたタグＩＤ（作成用情報）とは異なっている。
【０１１６】
なお、上記において、ステップＳ５０５、ステップＳ５１０、及びステップＳ５１５Ａは、特許請求の範囲各項記載の装置アンテナを介して無線タグ回路素子に対し情報読み取りを行い、ＩＣ回路部に記憶された情報を取得する情報取得手段を構成する。またステップＳ５２３及びステップＳ５４５は、情報取得手段で無線タグ回路素子に対し情報読み取りが行われるたびに、所定の規則性に沿って順次異なる印字用識別子を生成する識別子生成手段を構成し、これらステップＳ５２３又はステップＳ５４５とステップＳ４００とが、識別子生成手段、搬送手段、及び印字手段を連携して制御する連携制御手段を構成する。
【０１１７】
上記変形例によれば、無線タグ回路素子ＴｏのＩＣ回路部１５０に別途特別な情報を記憶させなくても、タグＩＤのように通常既に無線タグ回路素子Ｔｏに格納されている一般的な情報を流用することで、印字内容に連続的な関連性のある複数の印字ラベルＬを順次作成することができる。これにより、無線タグ回路素子Ｔｏは既存の一般的なものをそのまま用いることができるので、システムの汎用性が高まり、利便性を向上することができる。
【０１１８】
（４）リーダライタ２００でシリアル番号の繰り上げを行う場合
上記実施形態では、ラベル作成装置３００において無線タグ回路素子Ｔｏから読み出したシリアル番号の繰り上げ処理を行うようにしたが、これに限られず、リーダライタ２００において処理するようにしてもよい。
【０１１９】
図１４に、本変形例の印字ラベル作成システムＬＳの機能構成を示す。なお、前述の図２と同様の部分には同符号を付し説明を省略する。
【０１２０】
本変形例のリーダライタ２００Ａ（読み取り装置）は、上記アンテナ２０３、高周波回路２０４、及びインターフェース２０５の他に、適宜の情報を記憶する記憶部２０６（識別子記憶手段。例えばＥＥＰＲＯＭ等の不揮発性メモリ）と、リーダライタ２００Ａ全体の制御を行う制御回路２０７とを有している。なお、ラベル作成装置３００を含む印字ラベル作成システムＬＳのその他の構成は、前述の図２と同様である。
【０１２１】
図１５に、本変形例における印字ラベルＬの作成時にリーダライタ２００Ａの制御回路２０７によって実行される制御内容を示す。
【０１２２】
ステップＳ６１０〜ステップＳ６３０は、前述の図６のステップＳ３１０〜ステップＳ３３０と同様である。すなわち、制御回路２０７は、高周波回路２０４に制御信号を送信し、アンテナ２０３を介し無線タグＴの無線タグ回路素子ＴｏのＩＣ回路部１５０に記憶された情報を読み取るためのタグ読み取り信号を生成して通信範囲内に存在する無線タグ回路素子Ｔｏに送信し、返信を促す。そして、上記タグ読み取り信号に対応し無線タグＴの無線タグ回路素子Ｔｏから送信（返信）されたリプライ信号をアンテナ２０３、高周波回路２０４を介し受信したか否かを判定する。無線タグＴからリプライ信号が受信されていなければ判定が満たされずにステップＳ６１０に戻り、再びタグ読み取り信号の送信を繰り返す。一方、無線タグＴからリプライ信号を受信した場合には、制御回路２０７は、上記受信したリプライ信号に基づき、無線タグ回路素子ＴｏのＩＣ回路部１５０のメモリ部１５５に記憶されたタグＩＤ、コマンド、及びシリアル番号を取得する。
【０１２３】
ステップＳ６３５では、制御回路２０７は、上記取得したシリアル番号及びコマンドをインターフェース２０５、接続手段２、及びインターフェース３０９を介してラベル作成装置３００の制御回路３１１に転送する。これにより、ラベル作成装置３００では印字ラベルＬの作成処理が実行される（後述の図１６参照）。
【０１２４】
その後のステップＳ６４０〜ステップＳ６６０は、前述の図６のステップＳ３４０〜ステップＳ３６０と同様である。すなわち、制御回路２０７は、上記ステップＳ６３０で取得したシリアル番号に１を加算して、新規シリアル番号を生成する。そして、高周波回路２０４に制御信号を送信し、アンテナ２０３を介し無線タグＴの無線タグ回路素子ＴｏのＩＣ回路部１５０のメモリ部１５５に上記生成した新規シリアル番号を書き込むためのタグ書き込み信号を生成し、タグＩＤを指定して書き込み対象の無線タグ回路素子Ｔｏに送信する。その後、上記新規シリアル番号の無線タグ回路素子Ｔｏへの書き込みが正常に完了したか否かを判定する。書き込みが正常に完了していない場合には、判定が満たされずにステップＳ６５０に戻り、同様の手順を繰り返す。一方、書き込みが正常に完了している場合には、判定が満たされて本フローを終了する。
【０１２５】
なお、上記において、ステップＳ６１０、ステップＳ６２０、及びステップＳ６３０は、特許請求の範囲各項記載の装置アンテナを介して無線タグ回路素子に対し情報読み取りを行い、ＩＣ回路部に記憶された情報を取得する情報取得手段を構成する。また、ステップＳ６３５は、情報取得手段で取得した作成用情報を転送する情報転送手段を構成する。さらに、ステップＳ６５０及びステップＳ６６０が、識別子生成手段で生成される新たな印字用識別子に対応した新たな作成用情報を、装置アンテナを介し、無線タグ回路素子のＩＣ回路部に書き込む情報書込手段を構成する。
【０１２６】
図１６に、本変形例における印字ラベルＬの作成時にラベル作成装置３００の制御回路３１１によって実行される制御内容を示す。なお、前述の図８と同様の手順には同符号を付し説明を省略する。
【０１２７】
ステップＳ４０３では、制御回路３１１は、リーダライタ２００の制御回路２０７から転送されたシリアル番号及びコマンド（図１５中ステップＳ６３５参照）を接続手段２及びインターフェース３０９を介して入力し取得する。
【０１２８】
ステップＳ４０５では、制御回路３１１は、上記取得したシリアル番号に基づき、ラベルテープ３０３に対する印字内容を表す印字データを生成する。本変形例では、ラベルテープ３０３に対し無線タグＴから読み取ったシリアル番号を印字するため、本ステップで生成する印字データ（印字用識別子）は、無線タグＴから取得した、無線タグ回路素子ＴｏのＩＣ回路部１５０のメモリ部１５５に記憶されたシリアル番号（作成用情報）と実質的に同等となっている。
【０１２９】
その後のステップＳ４１０〜ステップＳ４８０は、前述の図８と同様であり、制御回路３１１は、ラベルテープ３０３の印字領域Ｓへの上記ステップＳ４０５で生成した印字データの印字を行い印字ラベルＬの作成を行う。
【０１３０】
上記において、ステップＳ４０３は、特許請求の範囲各項記載の読み取り装置の情報転送手段から転送された作成用情報を入力する情報入力手段を構成する。またステップＳ４０５は、情報取得手段で無線タグ回路素子に対し情報読み取りが行われるたびに、所定の規則性に沿って順次異なる印字用識別子を生成する識別子生成手段を構成し、このステップＳ４０５〜ステップＳ４８０が、識別子生成手段、搬送手段、及び印字手段を連携して制御する連携制御手段を構成する。
【０１３１】
以上説明した変形例においては、操作者が、無線タグＴをリーダライタ２００Ａにおいてアンテナ２０３にかざす等により情報読み取りを行わせることで、ラベル作成装置３００で印字データが生成され、印字ヘッド３０５によって印字データが印字され、印字ラベルＬを作成することができる。またこのとき、リーダライタ２００Ａで読み取ったシリアル番号をラベル作成装置３００へと直接転送させることにより、リーダライタ２００Ａやラベル作成装置３００にパソコンやサーバ等を接続することなく、印字ラベルＬを作成することができる。
【０１３２】
なお、上記変形例においては、無線タグ回路素子Ｔｏにラベル作成装置３００に対し印字ラベルＬを作成するように指示するためのコマンドが記憶されており、当該コマンドをシリアル番号等と共に読み出してリーダライタ２００Ａからラベル作成装置３００に転送するようにしたが、本変形例では、無線タグ回路素子Ｔｏにコマンドを必ずしも記憶させておく必要はない。すなわち、リーダライタ２００Ａでコマンドを生成し、無線タグ回路素子Ｔｏから読み出したシリアル番号と共にラベル作成装置３００に送信するようにしてもよい。
【０１３３】
また、上記変形例では、記憶部３１０にタグＩＤとシリアル番号とを関連付けて記憶させるようにしたが、これに限られず、上記変形例（２）又は（３）のようにタグＩＤと（シリアル番号に対応する）印刷データを関連付けて記憶させるようにしてもよい。
【０１３４】
（５）無線タグ情報を更新しない場合（タグにシリアル番号初期値を記憶）
【０１３５】
上記変形例（４）のようにリーダライタ２００でシリアル番号の繰り上げを行う場合において、前述した変形例（２）のように、無線タグ回路素子Ｔｏにシリアル番号の初期値を記憶させておき、最初の情報読み取り時に当該シリアル番号の初期値をリーダライタ２００Ａ側で保存し、その後は無線タグ回路素子Ｔｏから情報読み取りを行う度にリーダライタ２００Ａ側で保存したシリアル番号に１を加算して新規シリアル番号を生成し、記憶部の内容を更新するようにしてもよい。
【０１３６】
本変形例におけるラベル作成システムＬＳの構成は、前述の図１４と同様であるので説明を省略する。
【０１３７】
図１７に、本変形例における印字ラベルＬの作成時にリーダライタ２００Ａの制御回路２０７によって実行される制御内容を示す。
【０１３８】
ステップＳ７０５〜ステップＳ５２０は前述の図１２のステップＳ５０５〜ステップＳ５２０と同様であり、制御回路２０７は、高周波回路２０４を制御し、無線タグＴの無線タグ回路素子ＴｏのＩＣ回路部１５０に記憶された情報を読み取るためのタグ読み取り信号を生成して通信範囲内に存在する無線タグ回路素子Ｔｏに送信する。これに対応し無線タグ回路素子Ｔｏから送信（返信）されたリプライ信号を受信すると、当該リプライ信号に基づき、無線タグ回路素子ＴｏのＩＣ回路部１５０のメモリ部１５５に記憶されたタグＩＤ、コマンド、及びシリアル番号の初期値を取得する。そして、上記無線タグＴからの情報読み取りが最初の読み取りが否かを判定する。最初である場合には、判定が満たされてステップＳ７２５に移る。
【０１３９】
ステップＳ７２５では、制御回路２０７は、上記ステップＳ７１５で取得したシリアル番号の初期値及びコマンドを、インターフェース２０５、接続手段２、及びインターフェース３０９を介してラベル作成装置３００の制御回路３１１に転送する。
【０１４０】
ステップＳ７３０では、制御回路２０７は、上記ステップＳ７１５で取得したタグＩＤとシリアル番号（初期値）とを関連付けて記憶部２０６に記憶させる。そして、本フローを終了する。
【０１４１】
一方、上記ステップＳ７２０において、タグＩＤ及びこれに対応するシリアル番号が記憶部２０６に記憶されている場合には、最初の情報読み取りでないとみなし、判定が満たされずにステップＳ７３５に移る。
【０１４２】
ステップＳ７３５では、制御回路２０７は、上記ステップＳ７１５で取得したタグＩＤに対応するシリアル番号を記憶部２０６から読み出す。
【０１４３】
ステップＳ７４０では、制御回路２０７は、上記読み出したシリアル番号に１を加算して、新規シリアル番号を生成する。
【０１４４】
ステップＳ７４５では、制御回路２０７は、上記生成した新規シリアル番号を、インターフェース２０５、接続手段２、及びインターフェース３０９を介してラベル作成装置３００の制御回路３１１に転送する。
【０１４５】
ステップＳ７５０では、制御回路２０７は、記憶部２０６にタグＩＤと関連付けられて記憶されたシリアル番号を、上記ステップＳ７４０で生成した新規シリアル番号に更新する。そして、本フローを終了する。
【０１４６】
なお、上記において、ステップＳ７０５、ステップＳ７１０、及びステップＳ７１５は、特許請求の範囲各項記載の装置アンテナを介して無線タグ回路素子に対し情報読み取りを行い、ＩＣ回路部に記憶された情報を取得する情報取得手段を構成する。また、ステップＳ７２５及びステップＳ７４５は、情報取得手段で取得した作成用情報を転送する情報転送手段を構成する。
【０１４７】
上記変形例においても、前述の変形例（２）と同様に、印字内容に連続的な関連性のある複数の印字ラベルＬを順次作成する際にも、無線タグ回路素子ＴｏのＩＣ回路部１５０には、シリアル番号の初期値を固定的に（内容不変に）記憶しておくだけで足りる。この結果、無線タグ回路素子Ｔｏの記憶容量を小さく抑制することができる。また、無線タグ回路素子Ｔｏから異なる情報を繰り返し読み取ったり、無線タグ回路素子Ｔｏへの情報書き込みや上書き更新を行う必要がなくなるので、印字ラベル作成時の信頼性を向上することができる。
【０１４８】
（６）無線タグ情報を更新しない場合（タグにＩＤを記憶）
【０１４９】
上記変形例（５）では、無線タグ回路素子Ｔｏにシリアル番号の初期値を記憶させておき、最初の情報読み取り時に当該シリアル番号の初期値をリーダライタ２００Ａ側で保存するようにしたが、前述の変形例（３）のように、予めリーダライタ２００Ａ側にシリアル番号の初期値を記憶させておき、無線タグ回路素子ＴｏからタグＩＤの情報読み取りを行う度にリーダライタ２００Ａ側で保存したシリアル番号に１を加算して新規シリアル番号を生成し、当該生成した新規シリアル番号に更新するようにしてもよい。
【０１５０】
本変形例におけるラベル作成システムＬＳの構成は、前述の図１４と同様であるので説明を省略する。
【０１５１】
図１８に、本変形例における印字ラベルＬの作成時にリーダライタ２００Ａの制御回路２０７によって実行される制御内容を示す。
【０１５２】
ステップＳ７０５〜ステップＳ７２０は図１３のステップＳ５０５〜ステップＳ５２０と同様であり、制御回路２０７は、高周波回路２０４を制御し、無線タグＴの無線タグ回路素子ＴｏのＩＣ回路部１５０に記憶された情報を読み取るためのタグ読み取り信号を生成して通信範囲内に存在する無線タグ回路素子Ｔｏに送信する。これに対応し無線タグ回路素子Ｔｏから送信（返信）されたリプライ信号を受信すると、当該受信したリプライ信号に基づき、無線タグ回路素子ＴｏのＩＣ回路部１５０のメモリ部１５５に記憶されたタグＩＤ及びコマンドを取得する。そして、上記無線タグＴからの情報読み取りが最初の読み取りが否かを判定する。最初の情報読み取りである場合には、判定が満たされてステップＳ７２３に移る。
【０１５３】
ステップＳ７２３では、制御回路２０７は、上記ステップＳ７１５Ａで取得したタグＩＤに対応するシリアル番号の初期値を記憶部２０６から読み出す。なお、本変形例では、リーダライタ２００Ａの記憶部２０６に、印字ラベルＬの作成開始時に用いるためのシリアル番号の初期値が、各無線タグＴのタグＩＤと関連付けられて予め設定記憶されている。
【０１５４】
ステップＳ７２５では、制御回路２０７は、上記ステップＳ７１５Ａで取得したタグＩＤ及びコマンドを、インターフェース２０５、接続手段２、及びインターフェース３０９を介してラベル作成装置３００の制御回路３１１に転送する。そして、本フローを終了する。
【０１５５】
一方、上記ステップＳ７２０において、最初の情報読み取りでない場合には、ステップＳ７３５に移る。このステップＳ７３５〜ステップＳ７５０は、前述の図１７と同様であるので説明を省略する。
【０１５６】
なお、上記において、ステップＳ７０５、ステップＳ７１０、及びステップＳ７１５Ａは、特許請求の範囲各項記載の装置アンテナを介して無線タグ回路素子に対し情報読み取りを行い、ＩＣ回路部に記憶された情報を取得する情報取得手段を構成する。
【０１５７】
上記変形例によれば、前述の変形例（３）と同様に、無線タグ回路素子ＴｏのＩＣ回路部１５０に別途特別な情報を記憶させなくても、タグＩＤのように通常既に無線タグ回路素子Ｔｏに格納されている一般的な情報を流用することで、印字内容に連続的な関連性のある複数の印字ラベルＬを順次作成することができる。これにより、無線タグ回路素子Ｔｏは既存の一般的なものをそのまま用いることができるので、システムの汎用性が高まり、利便性を向上することができる。
【０１５８】
（７）その他
以上では、所定の規則性の一例として１ずつ数値が繰り上がる場合を例にとって説明したが、これに限られない。例えば複数おきに繰り上がったり（１，３，５…や、５０，５５，６０…等）、あるいは１０，９，８，…や、３００，２００，１００…のように繰り下がる場合であってもよい。また、例えば数でなくアルファベット順あるいは５０音順等の規則性に沿って文字を変えていく等でもよい。
【０１５９】
また以上では、本発明の印字ラベル作成システムを製品のシリアル番号をそれぞれ印字した複数の印字ラベルの作成に適用した場合を説明したが、本発明の適用対象はこれに限られない。例えば、学校授業や講習会、セミナー等において受講者の人数をカウントする必要がある場合に、受講者が教室に入る際に無線タグＴをリーダライタ２００にかざすことにより、そのたびに数字が１ずつ繰り上がって印字された印字ラベルＬが作成され、受講者の人数をカウントすることができる。このように、本発明は種々の場面に適用することが可能である。
【０１６０】
また、以上において、印字の終了した印字済みのラベルテープ３０３をカッタ３０７で切断して印字ラベルＬを作成した場合を例にとって説明したが、これに限られない。すなわち、ラベルに対応した所定の大きさに予め分離されたラベル台紙（いわゆるダイカットラベル）がロールから繰り出されるテープ上に連続配置されているような場合には、カッタ３０７で切断しなくても、テープが排出口から排出されてきた後にラベル台紙（対応する印字がなされたもの）のみをテープから剥がして印字ラベルＬを作成しても良く、本発明はこのようなものに対しても適用できる。
【０１６１】
また、以上においては、ラベルテープ３０３に備えられた被印字テープ層（図示せず）に印字を行う方式（貼りあわせを行わないタイプ）を例にとって説明したが、これに限られず、ラベルテープ３０３とは別のカバーフィルムに印字を行ってこれらを貼り合わせる方式（いわゆるラミネートタイプ）に本発明を適用してもよい。
【０１６２】
さらに、以上は、ラベルテープ３０３がリール部材の周りに巻回してロール３０４を構成し、そのロール３０４からラベルテープ３０３が繰り出される場合を例にとって説明したが、これに限られない。例えば長尺平紙状あるいは短冊状のテープやシート（ロールに巻回されたテープを繰り出した後に適宜の長さに切断して形成したものを含む）を、所定の収納部にスタックして（例えばトレイ状のものに平積み積層して）カートリッジ化し、このカートリッジをラベル作成装置３００側のカートリッジホルダに装着して、上記収納部から移送、搬送して印字及び書き込みを行い印字ラベルを作成するようにしてもよい。
【０１６３】
さらには上記ロールを直接ラベル作成装置３００側に着脱可能に装着する構成や、長尺平紙状あるいは短冊状のテープやシートをラベル作成装置３００内へ供給する構成も考えられ、さらにはカートリッジのようなラベル作成装置３００本体側に着脱可能なものにも限られず、装置本体側に着脱不能のいわゆる据え付け型あるいは一体型としてラベルテープロール３０４を設けることも考えられる。この場合も同様の効果を得る。
【０１６４】
なお、以上において、図２、図３、図４等の各図中に示す矢印は信号の流れの一例を示すものであり、信号の流れ方向を限定するものではない。
【０１６５】
また、図６、図８、図１０等に示すフローチャートは本発明を上記フローに示す手順に限定するものではなく、発明の趣旨及び技術的思想を逸脱しない範囲内で手順の追加・削除又は順番の変更等をしてもよい。
【０１６６】
また、以上既に述べた以外にも、上記実施形態や各変形例による手法を適宜組み合わせて利用しても良い。
【０１６７】
その他、一々例示はしないが、本発明は、その趣旨を逸脱しない範囲内において、種々の変更が加えられて実施されるものである。
【図面の簡単な説明】
【０１６８】
【図１】本実施形態の印字ラベル作成システムの全体構成を表すシステム構成図である。
【図２】印字ラベル作成システムの機能構成を表す機能ブロック図である。
【図３】リーダライタの高周波回路の詳細構成を表す機能ブロック図である。
【図４】無線タグに備えられる無線タグ回路素子の機能的構成の一例を表す機能ブロック図である。
【図５】無線タグ回路素子のＩＣ回路部のメモリ部の記憶内容の一例を概念的に表す図である。
【図６】印字ラベルの作成時にラベル作成装置の制御回路によって実行される制御内容を表すフローチャートである。
【図７】無線タグ回路素子のＩＣ回路部のメモリ部の記憶内容の一例を表す図である。
【図８】ステップＳ４００のラベル作成処理の詳細内容を表すフローチャートである。
【図９】作成される印字ラベルの一例を表す図である。
【図１０】タグより読み出したシリアル番号に１を加算して印字する変形例における印字ラベルの作成時にラベル作成装置の制御回路によって実行される制御内容を表すフローチャートである。
【図１１】無線タグ情報を更新しない場合（タグにシリアル番号初期値を記憶）の変形例の印字ラベル作成システムの機能構成を表す機能ブロック図である。
【図１２】無線タグ情報を更新しない場合（タグにシリアル番号初期値を記憶）の変形例における印字ラベルの作成時にラベル作成装置の制御回路によって実行される制御内容を表すフローチャートである。
【図１３】無線タグ情報を更新しない場合（タグにＩＤを記憶）の変形例における印字ラベルの作成時にラベル作成装置の制御回路によって実行される制御内容を表すフローチャートである。
【図１４】リーダライタでシリアル番号の繰り上げを行う変形例の印字ラベル作成システムの機能構成を表す機能ブロック図である。
【図１５】リーダライタでシリアル番号の繰り上げを行う変形例における印字ラベルの作成時にリーダライタの制御回路によって実行される制御内容を表すフローチャートである。
【図１６】リーダライタでシリアル番号の繰り上げを行う変形例における印字ラベルの作成時にラベル作成装置の制御回路によって実行される制御内容を表すフローチャートである。
【図１７】無線タグ情報を更新しない場合（タグにシリアル番号初期値を記憶）の変形例における印字ラベルの作成時にリーダライタの制御回路によって実行される制御内容を表すフローチャートである。
【図１８】無線タグ情報を更新しない場合（タグにＩＤを記憶）の変形例における印字ラベルの作成時にリーダライタの制御回路によって実行される制御内容を表すフローチャートである。
【符号の説明】
【０１６９】
１５０            ＩＣ回路部
１５１            タグアンテナ
２００Ａ          リーダライタ（読み取り装置）
２０３            アンテナ（装置アンテナ）
２０６            記憶部（識別子記憶手段）
３００            ラベル作成装置
３０３            ラベルテープ（ラベル媒体）
３０５            印字ヘッド（印字手段）
３０８            搬送ローラ（搬送手段）
３１０            記憶部（識別子記憶手段）
３１１            制御回路（連携制御手段）
Ｌ                印字ラベル
ＬＳ              印字ラベル作成システム
Ｔｏ              無線タグ回路素子
【図１】
2010067009.tif 000003
【図２】
2010067009.tif 000004
【図３】
2010067009.tif 000005
【図４】
2010067009.tif 000006
【図５】
2010067009.tif 000007
【図６】
2010067009.tif 000008
【図７】
2010067009.tif 000009
【図８】
2010067009.tif 000010
【図９】
2010067009.tif 000011
【図１０】
2010067009.tif 000012
【図１１】
2010067009.tif 000013
【図１２】
2010067009.tif 000014
【図１３】
2010067009.tif 000015
【図１４】
2010067009.tif 000016
【図１５】
2010067009.tif 000017
【図１６】
2010067009.tif 000018
【図１７】
2010067009.tif 000019
【図１８】
2010067009.tif 000020